(57)【要約】【課題】ユーザ登録手続きを簡易化するシステム及び方法の提供。【解決手段】ユーザの端末１０から通信ネットワークを介して管理サーバ２０にアクセスし端末から所定のフォーマットに従い、ユーザの登録情報を管理サーバ２０を介して個人情報データベース２１に登録し、ユーザが前記端末から所定の登録フォーマットを用いてユーザ登録を行う情報提供サーバ３０にアクセスし、前記端末からＩＤとパスワードを入力し情報提供サーバ３０は前記端末より入力されたＩＤとパスワードを受け取り、登録情報を記憶管理する管理サーバを介して個人情報データベース２１から前記ユーザの登録情報を取得し、情報提供サーバ３０は、端末１０に対して前記登録情報を所定の登録フォーマットで表示し、情報提供サーバ３０は端末１０からさらに追加入力すべき登録情報があると判断した場合、追加情報の入力を前記端末に表示し、前記ユーザが前記端末から入力した追加情報が前記情報提供サーバに送信される。【選択図】          図３
2004326442.tif 000002
【特許請求の範囲】
【請求項１】
ユーザの端末と通信ネットワークを介して接続される管理サーバが、前記ユーザにより前記端末から入力された、少なくともパスワード情報を含む前記ユーザの所定の個人情報を受け取り、前記ユーザに対して割り当てられたユーザ識別情報（「ユーザＩＤ」という）と対応させて、前記ユーザの所定の個人情報を前記管理サーバのデータベースに登録するステップと、
ユーザの端末より通信ネットワークを介してアクセスされ、情報提供サービスを行う情報提供サーバは、ユーザ登録を行うにあたり、前記ユーザにより前記端末から入力されたユーザＩＤとパスワードを受け取り、前記管理サーバの前記データベースから、前記ユーザの個人情報を取得し、ユーザ登録画面を、前記取得した個人情報が、対応する項目欄に書き込まれた状態で、前記端末に表示するように制御するステップと、
を含む、ことを特徴とするユーザ登録方法。
【請求項２】
ユーザの端末が、通信ネットワークを介して、情報提供サービスを行う情報提供サーバにアクセスするステップと、
前記端末からのアクセスを受けた前記情報提供サーバは、ユーザ登録を行うにあたり、前記ユーザが、ユーザの個人情報を管理する管理サーバのデータベースに前記ユーザの個人情報を登録済みであり、且つ、前記情報提供サーバへのユーザ登録を行うにあたり前記管理サーバを利用することを前記ユーザが選択した場合に、前記ユーザが前記端末より入力した、前記ユーザに割り当てられているユーザ識別情報（「ユーザＩＤ」という）とパスワードとを受け取り、前記管理サーバの前記データベースから前記ユーザの個人情報を取得し、ユーザ登録画面を、前記取得した個人情報が対応する項目欄に書き込まれた状態で、前記端末に表示するように制御するステップと、
前記情報提供サーバは、前記管理サーバの前記データベースに個人情報を未登録のユーザに対して、前記管理サーバへの通信接続を、前記端末の表示画面上で案内するステップと、
前記未登録のユーザは、前記端末から前記管理サーバにアクセスし、前記端末から、少なくともパスワードを含む前記ユーザの所定の個人情報を入力し、前記管理サーバは、前記ユーザの所定の個人情報を受け取り、前記ユーザに対して割り当てられたユーザＩＤと対応させて、前記ユーザの所定の個人情報を、前記管理サーバのデータベースに登録するステップと、
を含む、ことを特徴とするユーザ登録方法。
【請求項３】
前記情報提供サーバは、ユーザ登録を行うにあたり、前記管理サーバの前記データベースに個人情報を未登録のユーザに対して、前記管理サーバへの通信接続を前記端末の表示画面上で案内するステップと、
前記未登録のユーザは、前記端末から、前記管理サーバにアクセスし、前記端末から、少なくともパスワード情報を含む前記ユーザの所定の個人情報を入力し、前記管理サーバは、前記端末から送信された、前記ユーザの所定の個人情報を受け取り、前記ユーザに対して割り当てられたユーザＩＤと対応させて、前記ユーザの所定の個人情報を、前記管理サーバのデータベースに登録するステップと、
を含む、ことを特徴とする請求項１記載のユーザ登録方法。
【請求項４】
前記情報提供サーバが、前記ユーザの個人情報の取得要求として、前記端末より入力されたユーザＩＤとパスワードを前記管理サーバに送信するステップと、
前記管理サーバが、前記情報提供サーバより送信された前記ユーザＩＤと前記パスワードとを受け取り、前記ユーザＩＤと前記パスワードに基づき前記ユーザの認証を行うステップと、
前記認証が正しく行われた場合に、前記管理サーバは、前記データベースを検索して前記ユーザの個人情報を取得し、前記ユーザの前記個人情報を前記情報提供サーバに送信するステップと、
を含む、ことを特徴とする、請求項１又は２記載のユーザ登録方法。
【請求項５】
前記端末のユーザ登録画面に書き込まれた状態で表示されている前記ユーザの個人情報を確認したユーザが、前記端末上で所定の確認操作を行った際に、前記端末は確認情報を前記情報提供サーバに送信するステップを含む、ことを特徴とする請求項１又は２記載のユーザ登録方法。
【請求項６】
前記ユーザは、前記端末のユーザ登録画面に表示されている個人情報の修正が必要な場合、修正が必要な欄の情報を、前記端末から修正入力し、前記ユーザによる前記端末から所定の確認操作が行われた際に、前記修正された情報が、前記情報提供サーバに送信され、前記情報提供サーバの記憶部に登録されるステップを含む、ことを特徴とする請求項１又は２記載のユーザ登録方法。
【請求項７】
前記情報提供サーバは、前記ユーザ登録にあたり、前記ユーザ登録画面で規定される個人情報に加え、さらに追加情報が必要である場合、前記追加情報の入力欄の画面情報を前記端末に送信して、前記端末に表示させるステップと、
前記端末より入力された追加情報を受け取った前記情報提供サーバが、前記追加情報を、前記情報提供サーバの記憶部に登録するステップと、
を含む、ことを特徴とする請求項１又は２記載のユーザ登録方法。
【請求項８】
前記管理サーバの前記データベースに個人情報を未登録のユーザ、又は、登録済みのユーザが、前記情報提供サーバでのユーザ登録にあたり、前記管理サーバを利用しないことを選択した場合、前記ユーザは、前記端末に表示されるユーザ登録画面において必須として指定される欄の個人情報を少なくとも入力するステップを有し、
前記端末から入力された個人情報は、前記情報提供サーバの記憶部で記憶管理される、ことを特徴とする請求項１又は２記載のユーザ登録方法。
【請求項９】
前記ユーザの端末として、前記管理サーバに、ユーザの個人情報を登録する端末と、前記情報提供サーバへのユーザ登録を行う端末と、前記情報提供サーバから情報提供サービスを受ける端末とが同一の端末であることが必要とされず、少なくとも１つが、他と異なる機種であること、及び／又は、他と異なる通信事業者の加入端末である場合に、対応自在とされている、
ことを特徴とする請求項１又は２記載のユーザ登録方法。
【請求項１０】
前記管理サーバが前記ユーザ登録画面のフォーマット情報を記憶部に記憶し、
複数の前記情報提供サーバは、前記管理サーバに記憶されている前記登録画面のフォーマットを共通に用いる、
ことを特徴とする請求項１又は２記載のユーザ登録方法。
【請求項１１】
ユーザが端末から通信ネットワークを介して管理サーバにアクセスし、前記管理サーバからの指示に従い前記端末から、少なくともパスワードを含む前記ユーザに関する所定の個人情報を入力する第１のステップと、
前記端末から入力された前記個人情報は前記端末から前記管理サーバに送信され、前記管理サーバが、受信した前記個人情報を、前記管理サーバによってアクセスされる個人情報データベースに登録する第２のステップと、
所定の登録フォーマットを用いてユーザ登録を行う情報提供サーバに、前記ユーザが前記端末から通信ネットワークを介してアクセスし、前記端末からユーザ識別情報（「ユーザＩＤ」という）とパスワードとを入力する第３のステップと、
前記情報提供サーバは、前記端末より入力されたユーザＩＤとパスワードとを受け取り、前記管理サーバに対して、前記個人情報データベースからの前記ユーザの登録情報の取得を依頼し、前記ユーザの登録情報を取得する第４のステップと、
前記情報提供サーバは、前記端末に、前記管理サーバを介して取得した前記登録情報を所定の登録フォーマットとともに送信する第５のステップと、
前記端末において、前記情報提供サーバより送信された前記登録情報を前記所定の登録フォーマットで表示する第６のステップと、
前記ユーザが前記端末に表示される前記登録情報を確認した場合、前記端末から確認情報を送信する第７のステップと、
を含む、ことを特徴とするユーザ登録方法。
【請求項１２】
前記第６のステップと前記第７のステップの間に、
前記情報提供サーバは、追加入力すべき情報があると判断した場合に、追加情報の入力を前記端末に指示するステップと、
前記ユーザが前記端末から入力した追加情報が、前記情報提供サーバに送信されるステップと、
を含む、ことを特徴とする請求項１１記載のユーザ登録方法。
【請求項１３】
前記第１のステップに先立ち、
前記情報提供サーバは、前記管理サーバへ初期登録する際、前記管理サーバを介して、前記情報提供サーバが提供するサービス項目、前記情報提供サーバのＵＲＬ（Ｕｎｉｆｏｒｍ  Ｒｅｓｏｕｒｃｅ  Ｌｏｃａｔｏｒ）情報を、前記管理サーバに送信するステップと、
前記管理サーバは、前記情報提供サーバから受け取った情報を、前記管理サーバによってアクセスされる提供者情報データベースに登録するステップと、
を含む、ことを特徴とする請求項１１記載のユーザ登録方法。
【請求項１４】
前記第１のステップが、
前記ユーザが前記端末から前記管理サーバにアクセスして登録要求を行うステップと、
前記要求を受けた前記管理サーバは、前記ユーザに対して、少なくともユーザＩＤを生成し、所定のフォームとともに前記端末に送信するステップと、
前記ユーザは、前記端末に表示される前記フォームで指定された、少なくともパスワードを含む個人情報を入力し、前記端末より、入力された個人情報が、前記管理サーバに送信されるステップと、
を含む、ことを特徴とする請求項１１記載のユーザ登録方法。
【請求項１５】
前記端末からの要求を受け、前記管理サーバは、前記提供者情報データベースを参照して、前記管理サーバの管理下の前記情報提供サーバが提供するサービス項目及び前記情報提供サーバのＵＲＬ情報を、前記端末に送信するステップと、
前記ユーザは、前記端末に表示される前記情報提供サーバのサービス項目及び前記情報提供サーバのＵＲＬを選択して、前記情報提供サーバと通信接続するステップと、
を含む、ことを特徴とする請求項１１記載のユーザ登録方法。
【請求項１６】
ユーザの端末と、
前記端末と通信ネットワークを介して接続する管理サーバと、
前記管理サーバよりアクセスされ、前記ユーザに割り当てられたユーザ識別情報（「ユーザＩＤ」という）に対応させて、少なくともパスワード情報を含むユーザの個人情報を格納するデータベースと、
ユーザに対して情報提供サービスを行い、前記管理サーバと通信接続する情報提供サーバと、
を備え、
前記情報提供サーバは、ユーザ登録を行うにあたり、前記端末からユーザＩＤとパスワードの入力を受け、前記データベースに登録されている前記ユーザの個人情報の取得を、前記管理サーバに要求する手段と、
前記管理サーバにより、前記要求の応答として送信される、前記ユーザの個人情報を受け、ユーザ登録画面を、前記取得した個人情報が対応する項目欄に書き込まれた状態で、前記端末に表示するように制御する手段と、
を含む、ことを特徴とするユーザ登録システム。
【請求項１７】
ユーザの端末と、
前記端末と通信ネットワークを介して接続する管理サーバと、
前記管理サーバよりアクセスされ、前記ユーザに割り当てられたユーザ識別情報（「ユーザＩＤ」という）に対応させて少なくともパスワード情報を含むユーザの個人情報を格納するデータベースと、
ユーザに対して情報提供サービスを行い、前記管理サーバと通信接続する情報提供サーバと、
を備え、
前記端末からのアクセスを受けた前記情報提供サーバは、ユーザ登録を行うにあたり、前記ユーザが、前記データベースに、前記ユーザの個人情報を登録済みである場合であって、前記情報提供サーバへのユーザ登録を行うにあたり前記ユーザが前記管理サーバを利用することを選択した場合、前記ユーザが前記端末から入力した、ユーザ識別情報（「ユーザＩＤ」という）とパスワードを受け、前記データベースに登録されている前記ユーザの個人情報の取得を前記管理サーバに要求する手段と、
前記管理サーバにより、前記要求の応答として送信される前記ユーザの個人情報を受け、ユーザ登録画面を、前記取得した個人情報が対応する項目欄に書き込まれた状態で、前記端末に表示するように制御する手段と、
前記管理サーバの前記データベースに未登録のユーザに対して、前記管理サーバへの接続を、前記端末上で案内する手段と、
を備え、
前記管理サーバの前記データベースに未登録のユーザは、前記端末から前記管理サーバにアクセスし、前記管理サーバを介して、前記データベースに、少なくともパスワード情報を含む前記ユーザの所定の個人情報を登録する、ことを特徴とするユーザ登録システム。
【請求項１８】
前記管理サーバが、前記情報提供サーバから送信された前記ユーザＩＤとパスワードに基づき、前記ユーザの認証を行う手段と、
前記認証が正しく行われた場合に、前記ユーザの個人情報を、前記データベースから取得し、前記情報提供サーバに送信する手段と、
を含む、ことを特徴とする、請求項１６又は１７記載のユーザ登録システム。
【請求項１９】
前記端末は、前記端末のユーザ登録画面の対応する欄に書き込んだ状態で表示される前記ユーザの個人情報を確認したユーザが、前記端末から所定の確認操作を行った場合、確認情報を前記情報提供サーバに送信する手段を含む、ことを特徴とする請求項１６又は１７記載のユーザ登録システム。
【請求項２０】
前記端末は、前記端末のユーザ登録画面の対応する欄に書き込んだ状態で表示される個人情報に対して修正がなされ、前記ユーザが前記端末から所定の確認操作を行った場合、前記修正された個人情報を、前記情報提供サーバに送信する手段を備え、
前記情報提供サーバは前記修正された個人情報を、前記情報提供サーバの記憶部に記憶する、ことを特徴とする請求項１６又は１７記載のユーザ登録システム。
【請求項２１】
前記情報提供サーバは、前記ユーザ登録にあたり、前記ユーザ登録画面で規定される個人情報に加え、さらに追加情報が必要である場合、前記追加情報の入力欄の情報を、前記端末に送信して前記端末に表示させる手段と、
前記端末より入力された追加情報を受け取った前記情報提供サーバが、前記追加情報を記憶部に登録する手段と、
を含む、ことを特徴とする請求項１６又は１７記載のユーザ登録システム。
【請求項２２】
前記情報提供サーバは、前記管理サーバに未登録のユーザ、又は、前記管理サーバに登録しているが、ユーザ登録にあたり、前記管理サーバを利用しないユーザが前記端末のユーザ登録画面から入力した個人情報を受け取り、個人情報を前記情報提供サーバの記憶部に登録する手段を備えている、ことを特徴とする請求項１６又は１７記載のユーザ登録システム。
【請求項２３】
ユーザの端末と、
前記端末と通信ネットワークを介して接続する管理サーバと、
前記管理サーバに接続され、前記ユーザに割り当てられたユーザ識別情報（「ユーザＩＤ」という）に対応させて前記ユーザの個人情報を格納する個人情報データベースと、
前記端末及び前記管理サーバと通信ネットワークを介して接続する情報提供サーバと、
を備え、
前記情報提供サーバからのサービスの提供を受けるユーザは、前記端末から前記情報提供サーバにアクセスし、所定の登録フォーマットを用いてユーザ登録を行い、
前記管理サーバは、前記端末からの初期登録のアクセスを受けた際に、前記端末から所定のフォーマットに従い入力された、少なくともパスワードを含むユーザの所定の個人情報を、前記個人情報データベースに登録する手段を備え、
前記情報提供サーバは、ユーザが前記端末から通信ネットワークを介して前記情報提供サーバにアクセスし、前記ユーザが前記端末から、ユーザＩＤとパスワードを入力した際に、前記端末より送信されたユーザＩＤとパスワードとを受け取り、前記管理サーバに対して、前記個人情報データベースから、前記ユーザに関して登録されている個人情報を取得するように依頼する手段と、
前記端末に対して、前記管理サーバより取得した個人情報を所定の登録フォーマット情報とともに送信する手段と、
を備え、
前記端末では、前記個人情報が前記登録フォーマットの対応する項目欄に書き込まれた状態で表示され、前記ユーザが前記端末から確認操作を行った場合、確認通知情報が前記情報提供サーバに送信される、ことを特徴とするユーザ登録システム。
【請求項２４】
前記情報提供サーバは、前記端末に表示される前記個人情報にさらに追加入力項目があると判断した場合、前記追加入力項目情報を前記端末に送信する手段を備え、
前記情報提供サーバからの前記追加入力項目は、前記端末に表示され、前記ユーザが、前記端末から入力した追加情報が前記情報提供サーバに送信される、ことを特徴とする請求項２３記載のユーザ登録システム。
【請求項２５】
前記管理サーバに接続され、情報提供者に関する情報を格納する提供者情報データベースを備え、
前記提供者情報サーバは、前記情報提供者が前記管理サーバへの初期登録を行うときに、前記管理サーバを介して前記情報提供サーバが提供するサービス項目、及び前記情報提供サーバのＵＲＬ情報を前記管理サーバに送信する手段を備え、
前記管理サーバは、前記情報提供サーバから受け取った情報を、前記提供者情報データベースに登録する手段を備えている、ことを特徴とする請求項２３記載のユーザ登録システム。
【請求項２６】
前記管理サーバは、前記ユーザが前記端末から前記通信ネットワークを介して前記管理サーバにアクセスし、会員登録要求を行った際に、前記要求を受け、会員番号、ユーザ識別情報（「ユーザＩＤ」という）を生成し、所定のフォームとともに前記端末に送信する手段を備え、
前記ユーザは前記端末から前記ユーザＩＤと前記フォームに指定された、少なくともパスワードを含む個人情報を入力し、前記端末より入力された個人情報が、前記管理サーバに送信され、
前記管理サーバは、前記端末より送信された前記個人情報を受け取り、前記個人情報データベースに格納する手段を備えている、ことを特徴とする請求項２３記載のユーザ登録システム。
【請求項２７】
前記管理サーバは、前記端末から前記通信ネットワークを介してアクセスされた際、前記提供者情報データベースを参照して、前記情報提供サーバが提供するサービス項目及び前記情報提供サーバのＵＲＬ情報を取得し、取得した情報を、前記端末に送信する手段を備え、
前記ユーザは前記端末からサービス項目及び情報提供サーバのＵＲＬを選択することで選択した前記情報提供サーバと通信接続する、ことを特徴とする請求項２３記載のユーザ登録システム。
【請求項２８】
ユーザの端末と通信ネットワークを介して接続し、前記ユーザに割り当てられたユーザ識別情報（「ユーザＩＤ」という）に対応させて、少なくともパスワード情報を含むユーザの個人情報を格納するデータベースにアクセス自在とされており、ユーザに対して情報提供サービスを行う情報提供サーバと通信接続する管理サーバ装置であって、
ユーザ登録にあたり、前記ユーザにより前記端末から入力されたユーザＩＤとパスワードを受信した前記情報提供サーバからの要求を受け、前記ユーザＩＤと前記パスワードに基づき、前記ユーザの認証を行う手段と、
前記認証が正しく行われた場合に、前記データベースを検索して前記ユーザの個人情報を取得し、前記ユーザの前記個人情報を、前記情報提供サーバに送信する手段と、
を備えている、ことを特徴とする管理サーバ装置。
【請求項２９】
ユーザの端末と通信ネットワークを介して接続し、前記ユーザに割り当てられたユーザ識別情報（「ユーザＩＤ」という）に対応させて、少なくともパスワード情報を含むユーザの個人情報を格納するデータベースにアクセス自在とされている管理サーバと通信接続し、ユーザに対して情報提供サービスを行う情報提供サーバ装置であって、
ユーザ登録を行うにあたり、前記端末からユーザＩＤとパスワードの入力を受け、前記データベースに登録されている前記ユーザの個人情報の取得を、前記管理サーバに要求する手段を備え、
前記管理サーバにより、前記要求の応答として送信される、前記ユーザの個人情報を受け、ユーザ登録画面を、前記取得した個人情報が対応する項目欄に書き込まれた状態で、前記端末に表示するように制御する手段と、
を含む、ことを特徴とする情報提供サーバ装置。
【発明の詳細な説明】
【０００１】
【発明の属する技術分野】
本発明は、通信ネットワークに関し、特に、端末から通信ネットワークを介してユーザ登録を行うシステムに用いて好適とされる方法とシステム並びに装置に関する。
【０００２】
【従来の技術】
インターネット上の有料コンテンツ等のサービスを利用するにあたり、ユーザは、当該サイトの会員となるため、ユーザ登録を行う必要がある。すなわち、ユーザは当該ＷＥＢサイトのトップページをブラウザで開き、ユーザ登録画面を選択する。そして、ユーザは画面の指示に従い、サービス利用の規約等を読んだのち、承認ボタンをクリックすると、登録フォームが表示され、必要な情報を該フォームにしたがって入力する。その内容としては、例えば、氏名、性別、生年月日、郵便番号、都道府県名、市町村名、番地、アパート／マンション、パスワード、メールアドレス等の項目が所定のフォームで表示される。ユーザは、入力後、登録の記入もれ、記入の間違いがないか内容を確認した場合、画面上の登録ボタンをクリックすることで、端末からの入力情報は、サーバ側に送信され、当該サイトで参照される、個人情報を管理するデータベース等に登録される。そして、ユーザ登録セッション終了後、ユーザが当該サイトをアクセスする場合、ユーザに割り付けられたユーザＩＤ、ユーザが登録時に設定したパスワードを入力し、サーバ側では、ユーザＩＤ、パスワード等に基づき、必要な認証を行い、認証が正しい場合、コンテンツへのアクセス、配信等のサービスの提供を受けることができる。なお、通常、ユーザ情報の更新、退会等の設定も、端末から行える構成とされている。あるいは、ユーザ登録の確認にあたり、登録画面で入力されたメールアドレスに「ユーザ登録最終確認」のメールが届き、ユーザは、確認のためメール本文に登録されたＵＲＬアドレスをクリックする操作、あるいは、ユーザ登録画面で指定したパスワードを入力して送信ボタンをクリックし、登録の最終確認を行うという手法等も用いられる場合がある。
【０００３】
以下では、本発明の背景技術をなす、ユーザ登録の簡易化技術に関する刊行物のいくつかを説明しておく。ユーザ情報格納サーバに通信ネットワークを介してアクセス可能なユーザ端末装置からユーザ登録を行い、登録ユーザのユーザ情報を、各メーカーで共通のデータ形式でユーザ情報格納サーバに保持し、商品を購入したユーザがユーザ登録を容易に行えるとともに、メーカーで登録ユーザ情報に基づく適切な顧客管理を行えるようにしたシステムが知られている（例えば特許文献１参照）。
【０００４】
また、サイト間でユーザ情報を共有し、一回の入力で全てのサービスが利用できるようにし、また入力回数を一回にすることで、セキュリティを向上させる、システムも知られている（例えば特許文献２参照）。
【０００５】
さらに、携帯端末からＷＥＢサイトに情報を登録するシステムとして、情報入力端末から送信される情報を情報格納手段に格納し、携帯端末から入力されたパスワードと、情報入力端末から入力されたパスワードが一致している場合、情報格納手段に格納されている情報をＷＥＢサイトに登録することで、携帯端末での煩雑な情報入力を行わずに情報登録を可能とした方法も知られている（例えば特許文献３参照）。
【０００６】
そして、登録情報の追加登録として、個人情報管理サーバに未登録の登録項目（追加項目）がある場合、登録済みの個人情報と追加項目を登録者用個人情報テーブルに登録する管理システムを有し、利用者が第１および第２の利用者情報に共通する情報を重複して登録する必要をなくし、登録作業を簡易化するシステムも知られている（例えば特許文献４参照）。
【０００７】
【特許文献１】
特開２００２−２８８４１３号公報（第２−第５頁、第１図）
【特許文献２】
特開２００２−１７５４８２号公報（第４−第５頁、第１図及び第２図）
【特許文献３】
特開２００２−２２９９５０号公報（第３−第６頁、第１図）
【特許文献４】
特開２００２−３４２４５９号公報（第３−第６頁、第１４頁）
【０００８】
【発明が解決しようとする課題】
ところで、ユーザが端末からすでにユーザ登録した第１のＷＥＢサイトとは異なる第２のＷＥＢサイトにユーザ登録を行う場合にも、第１のＷＥＢサイトで行ったのと同様な、ユーザ登録手続きが必要とされる。
【０００９】
すなわち、第２のＷＥＢサイトのユーザ登録画面から、ユーザは、氏名、性別、生年月日、住所、パスワード等をその都度入力し、登録の記入もれ、間違いがないか、内容を確認し、登録ボタン（送信ボタン）をクリックすることになる。そして、上記操作は、煩雑でもある。
【００１０】
また、コンテンツ提供者側にすれば、登録内容の記入事項の多さから、ユーザが当該サイトへの登録を断念する可能性もあり、顧客サービスの点からも、不都合でもある。
【００１１】
また、近時、携帯電話機（通常ブラウザを実装している）の普及に伴い機種の異なる複数の携帯電話機（ＰＨＳ）、あるいは、異なる通信キャリアの加入端末を複数所持しているユーザも多い。この場合、異なる端末を用いてもユーザ登録等を簡易に行えると、端末利用者の利便性が増し、顧客満足度の向上にも貢献できるものと本発明者は思料する。
【００１２】
したがって、本発明は、ユーザ側の操作を特段に簡易化し、ユーザ登録手続きを容易化するシステム及び方法及び装置を提供することにある。
【００１３】
【課題を解決するための手段】
前記目的を達成する本発明の１のアスペクトに係る方法は、ユーザの端末と通信ネットワークを介して接続される管理サーバが、前記ユーザにより前記端末から入力された、少なくともパスワード情報を含む前記ユーザの所定の個人情報を受け取り、前記ユーザに対して割り当てられたユーザ識別情報（「ユーザＩＤ」という）と対応させて、前記ユーザの所定の個人情報を前記管理サーバのデータベースに登録するステップと、ユーザの端末より通信ネットワークを介してアクセスされ、情報提供サービスを行う情報提供サーバは、ユーザ登録を行うにあたり、前記ユーザにより前記端末から入力されたユーザＩＤとパスワードを受け取り、前記管理サーバの前記データベースから、前記ユーザの個人情報を取得し、ユーザ登録画面を、前記取得した個人情報が対応する項目欄に書き込まれた状態で、前記端末に表示するように制御するステップと、を含む。かかる構成の本発明によれば、ユーザは端末のユーザ登録画面に書き込まれた状態の情報を確認するだけでよく、登録入力を簡易化する。
【００１４】
本発明に係る方法においては、前記情報提供サーバは、前記管理サーバの前記データベースに個人情報を未登録のユーザに対して、前記管理サーバへの通信接続を前記端末の表示画面上で案内するステップと、前記未登録のユーザは、前記ユーザの端末から前記管理サーバにアクセスし、前記端末から、少なくともパスワードを含む前記ユーザの所定の個人情報を入力し、前記管理サーバは、前記ユーザの所定の個人情報を受け取り、前記ユーザに対して割り当てられたユーザＩＤと対応させて、前記ユーザの所定の個人情報を、前記管理サーバのデータベースに登録するステップと、を含む構成としてもよい。
【００１５】
本発明の他のアスペクトに係るシステムは、ユーザの端末と、前記端末と通信ネットワークを介して接続する管理サーバと、前記管理サーバよりアクセスされ、前記ユーザに割り当てられたユーザ識別情報（「ユーザＩＤ」という）に対応させて少なくともパスワード情報を含むユーザの個人情報を格納するデータベースと、ユーザに対して情報提供サービスを行い、前記管理サーバと通信接続する情報提供サーバと、を備え、前記情報提供サーバは、ユーザ登録を行うにあたり、前記端末からユーザＩＤとパスワードの入力を受け、前記データベースに登録されている前記ユーザの個人情報の取得を、前記管理サーバに要求する手段を備え、前記管理サーバにより、前記要求の応答として送信される、前記ユーザの個人情報を受け、ユーザ登録画面を、対応する欄に前記取得した個人情報が書き込まれた状態で、前記端末に表示するように制御する手段と、を含む。
【００１６】
本発明のさらに別のアスペクトの方法によれば、ユーザが端末から通信ネットワークを介して管理サーバにアクセスし、前記管理サーバからの指示に従い、前記端末から前記ユーザに関する所定の個人情報を入力し、前記端末から入力された前記個人情報は前記端末から前記管理サーバに送信され、前記管理サーバは、受信した前記個人情報を、前記管理サーバによってアクセスされる個人情報データベースに登録する。ユーザが前記端末から通信ネットワークを介して所定の登録フォーマットを用いてユーザ登録を行う情報提供サーバにアクセスし前記端末からユーザ識別情報（「ユーザＩＤ」という）とパスワードとを入力すると、前記情報提供サーバは、前記端末より入力されたユーザＩＤとパスワードとを受け取り、前記管理サーバに対して、前記個人情報データベースからの前記ユーザの登録情報の取得を依頼し、前記ユーザの登録情報を取得する。前記情報提供サーバは、前記端末に、前記管理サーバを介して取得した前記登録情報を、所定の登録フォーマットとともに送信する。前記端末において、前記情報提供サーバより送信された前記登録情報が前記所定の登録フォーマットで表示され、前記ユーザが前記端末に表示される前記登録情報を確認した場合、前記端末から確認情報を送信する。前記情報提供サーバは、前記端末に対して、前記登録情報を所定の登録フォーマットで表示し、前記端末からさらに追加入力すべき登録情報があると判断した場合、追加情報の入力を前記端末に表示し、前記ユーザが前記端末から入力した追加情報が前記情報提供サーバに送信される。
【００１７】
本発明の別のアスペクトに係る装置は、ユーザの端末と通信ネットワークを介して接続し、前記ユーザに割り当てられたユーザ識別情報（「ユーザＩＤ」という）に対応させて少なくともパスワード情報を含むユーザの個人情報を格納するデータベースにアクセス自在とされており、ユーザに対して情報提供サービスを行う情報提供サーバと通信接続する管理サーバ装置であって、ユーザ登録にあたり、前記端末から入力されたユーザＩＤとパスワードを受信した前記情報提供サーバからの要求をうけ、前記ユーザＩＤと前記パスワードに基づき前記ユーザの認証を行う手段と、前記認証が正しく行われた場合に、前記データベースを検索して前記ユーザの個人情報を取得し、前記ユーザの前記個人情報を、前記情報提供サーバに送信する手段と、を備えている。
【００１８】
本発明の別のアスペクトに係る装置は、ユーザの端末と通信ネットワークを介して接続し前記ユーザに割り当てられたユーザ識別情報（「ユーザＩＤ」という）に対応させて少なくともパスワード情報を含むユーザの個人情報を格納するデータベースにアクセス自在とされている管理サーバと通信接続し、ユーザに対して情報提供サービスを行う情報提供サーバ装置であって、ユーザ登録を行うにあたり、前記端末からユーザＩＤとパスワードの入力を受け、前記データベースに登録されている前記ユーザの個人情報の取得を、前記管理サーバに要求する手段を備え、前記管理サーバにより、前記要求の応答として送信される、前記ユーザの個人情報を受け、ユーザ登録画面を、対応する欄に前記取得した個人情報が書き込まれた状態で、前記端末に表示するように制御する手段と、を含む。以下の説明からも明らかとされるように、上記目的は、特許請求の範囲の各請求項の発明によっても、同様にして達成される。
【００１９】
【発明の実施の形態】
本発明の好適な実施の形態について以下に説明する。ユーザは、ユーザの端末（例えばブラウザが実装された、携帯電話機、ＰＨＳ（パーソナルハンディフォンシステム）等の移動体端末）（１０）から、通信ネットワーク（移動体パケット通信網、インターネット）（４０）を介して、管理サーバ（２０）にアクセスし、管理サーバ（２０）が指定する登録フォーマットに従って、ユーザの氏名、パスワード情報を含むユーザの個人情報を入力し、管理サーバ（２０）を介して、個人情報データベース（２１）に、ユーザの個人情報を登録しておく。その際、個人情報は、例えば、ユーザを一意的に識別するユーザＩＤに対応させて、個人情報データベース（２１）に登録され、ユーザＩＤをキーとして検索自在とされる。個人情報データベース（２１）は、管理サーバ（２０）でアクセスできるものであればよく、また、分散データベース等ネットワーク接続されるデータベース構成であってもよい。
【００２０】
情報提供者側も、通信ネットワーク（移動体パケット通信網、インターネット）を介して管理サーバ（２０）にアクセスし、情報提供者側の情報を、提供者情報データベース（２２）に登録しておく。この提供者情報データベース（２２）も、管理サーバ（２０）でアクセスできるものであればよく、分散データベース等ネットワーク接続されるデータベース構成であってもよい。
【００２１】
ユーザ端末（１０）から、通信ネットワーク（４０）を介して、ユーザ登録を必要とする情報提供サーバ（３０）にアクセスし、ユーザ登録画面を開き、ユーザ識別情報（ユーザＩＤ）とパスワードを入力する。その際、ユーザＩＤ、パスワードとして、ユーザが管理サーバ（２０）に登録済みのものが用いられる。
【００２２】
情報提供サーバ（３０）では、端末（１０）から入力されたユーザＩＤとパスワードを受け、管理サーバ（２０）に、登録済みの個人情報の取得を要求する。管理サーバ（２０）は、ユーザＩＤとパスワードを用いてユーザの認証を行い、認証結果が可（ＯＫ）の場合、ユーザＩＤに対応して、登録情報を記憶管理する個人情報データベース（２１）を検索して、ユーザの個人情報を取得し、登録フォーマットとともに、情報提供サーバ（３０）に送信する。
【００２３】
情報提供サーバ（３０）は、ユーザ端末（１０）に、管理サーバ（２０）から返送された前記個人情報を、所定の登録フォーマットで送信し、ユーザ端末（１０）はブラウザを用いて表示する。
【００２４】
情報提供サーバ（３０）で、さらに必要な個人情報があると判断した場合、追加情報（画面情報）をユーザ端末（１０）に送信して、追加情報の入力を督促し、ユーザは、端末（１０）の登録フォーマットから、追加情報を入力する。
【００２５】
入力された追加情報は、情報提供サーバ側のローカルな個人情報格納部（３２）等に記憶される。上記手続きにより、ユーザ登録が終了する。管理サーバに登録済みの他の情報提供者の情報提供サーバへのユーザ登録についても同様にして行われる。すなわち、ユーザは、ユーザＩＤとパスワードを端末から入力するだけで、管理サーバに登録済みの複数の情報提供サーバへのユーザ登録手続きを行うことができる。
【００２６】
【実施例】
本発明の実施例について図面を参照して説明する。以下では、移動体パケット通信網に接続し、パケット通信機能、及びブラウザを具備した端末へのコンテンツ提供サービスを行うコンテンツサーバにおける登録システムに、本発明を適用した例に即して説明する。図１は、本発明の一実施例のシステム構成を模式的に示す図である。コンテンツサーバとして、サービス広告提供者コンピュータを例に説明するが、他のコンテンツサーバであってもよいことは勿論である。
【００２７】
ユーザ端末１０（単に、「端末１０」ともいう）は、例えば基地局と無線通信し移動体パケット通信網のゲートウェイ（不図示）等を介してインターネット（Ｔｈｅ  Ｉｎｔｅｒｎｅｔ）等の通信ネットワーク４０上のノードと通信接続する移動型の通信端末よりなる。移動型の通信端末としては、携帯電話機、ＰＨＳ（パーソナルハンディフォンシステム）、ＰＤＡ（パーソナルデジタルアシスタンツ）等、表示部、操作入力部、通信機能、及び閲覧ソフトであるブラウザを実装した任意の移動体端末であってよい。
【００２８】
ネットワーク４０に接続されるサービス広告提供者コンピュータ（サービス広告をＷＥＢサイトに提供するサーバを構成するコンピュータ）３０は、照合部３１及び個人情報格納部３２を備えている。図１では、簡単のため、サービス広告提供者コンピュータ３０は１台のみが示されているが、その台数は任意である。
【００２９】
サービス広告提供者コンピュータ３０の照合部３１は、ユーザが端末１０から入力したユーザＩＤ、パスワードを受け取り、管理サーバ２０に対して、ユーザＩＤ、パスワードを送信し、管理サーバ２０に登録されているユーザと一致するものであるか否かを照合するための処理を行う。管理サーバ２０で認証の結果、不可と判定され、エラーメッセージがサービス広告提供者コンピュータ３０に送信されると、照合部３１は端末１０に、認証の結果が不可であることを通知する。
【００３０】
サービス広告提供者コンピュータ３０の個人情報格納部３２には、当該サイトをアクセスするユーザの個人情報が格納される。サービス広告提供者コンピュータ３０の個人情報格納部３２には、管理サーバ２０へ登録済みのユーザが、サービス広告提供者コンピュータ３０へのユーザ登録を行った場合、個人情報データベース２１から取得された当該ユーザの個人情報が格納される。そして、この個人情報格納部３２には、ユーザの個人情報として、個人情報データベース２１とは、異なる情報（サービス広告提供者コンピュータ３０で必要とする追加情報）を格納するようにしてもよい。例えば、個人情報データベース２１に登録される記入必須項目以外の趣味等のオプション情報を、追加情報として、個人情報格納部３２に格納するようにしてもよい。また、個人情報格納部３２には、ユーザ端末１０で修正・更新された個人情報を格納するようにしてもよい。さらに、個人情報格納部３２には、管理サーバ２０を利用しないユーザが、ユーザ端末１０から、サービス広告提供者コンピュータ３０へマニュアルでユーザ登録を行う場合、入力した個人情報を格納するようにしてもよい。
【００３１】
さらに通信ネットワーク４０には、管理サーバ２０が接続されており、管理サーバ２０には、個人情報データベース２１と、提供者情報データべース２２と、登録フォーマット記憶部２３と、認証部２４とが接続される。
【００３２】
管理サーバ２０は、ユーザの管理を行うとともに、サービス提供者の管理、システム全体の管理・制御を行うコンピュータ・システムである。
【００３３】
個人情報データベース２１は、氏名、パスワード等、ユーザの個人情報を記憶管理する。個人情報データベース２１は、複数のユーザ端末１０、及び、複数のサービス広告提供者コンピュータ３０に対して共通とされる。
【００３４】
提供者情報データべース２２は、サービス広告提供者の情報（サービス項目、ＵＲＬ情報等）を記憶管理する。提供者情報データべース２２は、複数のサービス広告提供者コンピュータ３０に対して、共通とされる。
【００３５】
登録フォーマット記憶部２３は、サービス広告提供者コンピュータ３０でユーザ登録に用いる登録画面のフォームを記憶管理する。本実施例では、複数のサービス広告提供者コンピュータ３０へのユーザ登録画面として共通の登録フォームが用いられる。管理サーバ２０に記憶されているユーザ登録画面フォーマットを共通に用いることで、処理を簡易化し、管理サーバ及び情報提供サーバ側の負担を軽減している。なお、処理は複雑化するが、複数のサービス広告提供者コンピュータ３０で異なった登録フォームを個別に用意する構成としてもよいことは勿論である。
【００３６】
認証部２４は、個人情報データベース２１へ登録を行うユーザの認証、提供者情報データべース２２に登録を行うサービス提供者の認証を行い、不正アクセス等を排除する。認証手順は公知の手法が用いられる。
【００３７】
次に、本実施例の動作について概略を説明する。図３は、本実施例の動作を模式的に説明するための図である。
【００３８】
（１）ユーザ端末１０から管理サーバ２０に初期登録のアクセスを行って、個人情報を個人情報データべース２１に登録する。その際、管理サーバ２０が指定するフォームに従い、氏名、性別、年齢、住所、メールアドレス等、必要な個人情報が入力される。このセッションで、管理サーバ２０は、ユーザのユーザＩＤを生成し、ユーザはパスワードの設定入力を行う。
【００３９】
（２）ユーザ端末１０は、新たにサービス広告提供者コンピュータ３０の提供するサービス広告の提供を受ける場合、サービス広告提供者コンピュータ３０のＵＲＬにアクセスし、登録画面からユーザＩＤ、パスワードを入力する。
【００４０】
（３）サービス広告提供者コンピュータ３０の照合部３１は、管理サーバ２０に、ユーザＩＤとパスワードを送信し、ユーザに関する情報の問い合わせを管理サーバ２０に対して行う。
【００４１】
（４）管理サーバ２０の認証部２４は、サービス広告提供者コンピュータ３０が、提供者情報データベース２２に登録されている真正なサービス提供者であることの認証を行う。さらに、管理サーバ２０の認証部２４は、問合せ対象のユーザのユーザＩＤ、パスワード情報から、問合せ対象の個人の認証（登録済みのユーザであるか否か等）を行い、認証結果が可（ＯＫ）の場合、個人情報データべ−ス２１から、ユーザＩＤに対応する個人情報を検索し、当該サービス広告提供者コンピュータ３０あてに、個人情報を、その登録フォーマット情報（登録フォーマットサーバ２３に格納される）と関連付けて送信する。
【００４２】
（５）サービス広告提供者コンピュータ３０は、管理サーバ２０から取得した個人情報を、登録フォーマットにしたがって、ユーザ端末１０に送信し、ユーザ端末１０のブラウザが、登録フォームに対応するユーザの個人情報を表示する。このためユーザは、ユーザ登録画面に表示されている情報を確認するだけでよく、基本的に、個人情報を入力する必要はない。
【００４３】
（６）サービス広告提供者コンピュータ３０で追加情報が必要と判断した場合、追加情報の入力を端末１０に促し、入力された情報がサービス広告提供者コンピュータ３０に送信され、サービス広告提供者コンピュータ３０の個人情報格納部３２に格納される。これは、個人情報データべ−ス２１に登録されている内容に変更があった場合、及び、登録フォーマットサーバ２３に登録されているフォームの項目に、個人情報データべ−ス２１に登録されていない情報を必要とする場合等、ユーザ側で修正、追加するものである。
【００４４】
図４は、本実施例における、情報提供者とユーザ側の登録時のシーケンス動作の一例を示す図である。図１及び図４を参照して、本実施例の動作シーケンスを説明する。
【００４５】
（１）サービス広告提供者コンピュータ３０は、管理サーバ２０にアクセスし、会員登録要求を送信する。なお、図４では、サービス広告提供者コンピュータ３０への、ＩＤ等の付与、パスワードの設定等の手順は省力されている。
【００４６】
（２）管理サーバ２０の認証部２４での認証の結果、管理サーバ２０は、認証ＯＫをサービス広告提供者コンピュータ３０に送信する。
【００４７】
（３）サービス広告提供者コンピュータ３０は、管理サーバ２０にサービス・広告コンテンツデータを送信する。
【００４８】
（４）管理サーバ２０は、サービス・広告コンテンツデータを提供者情報データべース２２に登録する。
【００４９】
（５）管理サーバ２０は、サービス・広告コンテンツデータを登録後、終了メッセージをサービス広告提供者コンピュータ３０に送信する。
【００５０】
（６）ユーザ端末１０は、管理サーバ２０にアクセスする（初期登録）。
【００５１】
（７）管理サーバ２０は、提供者情報データべース２２にサービス提供者の情報の取得要求を発行する。
【００５２】
（８）提供者情報データべース２２は、提供者情報データべース２２に登録されている、サービス項目データを読み出して、該サービス項目データを管理サーバ２０に送信する。
【００５３】
（９）管理サーバ２０は、ユーザ端末１０に、サービス項目データを通知する。
【００５４】
（１０）サービス項目を見て、ユーザが会員登録を行う場合、ユーザは、ユーザ端末１０から、会員要求を管理サーバ２０に通知する。
【００５５】
（１１）管理サーバ２０で会員番号（ＮＯ）、ユーザを一義的に識別するユーザＩＤを生成する。
【００５６】
（１２）管理サーバ２０は、会員ＮＯ、ユーザＩＤと、フォーマット情報を端末１０に送信する。
【００５７】
（１３）ユーザ端末１０のブラウザにより、上記フォーマットが表示され、該フォーマットに入力されたデータが、管理サーバ２０に送信され、管理サーバ２０は、ユーザＩＤ情報に基づき、該データを個人情報データベース２１に登録する。
【００５８】
（１４）管理サーバ２０は、個人情報を登録後、終了メッセージを出力する等して通信接続を切断する。あるいは、ユーザ端末１０側から切断してもよい。
【００５９】
図５は、本実施例において、サービス広告提供者コンピュータ３０にユーザ登録を行う場合の動作シーケンスを説明するための図である。図１及び図５を参照して、本実施例の動作シーケンスを説明する。
【００６０】
（１）ユーザ端末１０が管理サーバ２０にアクセスし、ユーザ端末１０からユーザＩＤを送信する。
【００６１】
（２）管理サーバ２０は、情報提供データベース２２に表示データを要求する。
【００６２】
（３）提供者情報データベース２２から、サービス項目と広告表示データ（全ての登録済みサービス提供者のサービス項目と、サービス提供者のＵＲＬ（Ｕｎｉｆｏｒｍ  Ｒｅｓｏｕｒｃｅ  Ｌｏｃａｔｏｒ）等）が管理サーバ２０を介してユーザ端末１０に送信される。ユーザ端末１０では、サービス提供者のサービス項目と、サービス提供者のＵＲＬ等が表示される。
【００６３】
（４）ユーザは、ユーザ端末１０に表示されるサービス提供者のＵＲＬとそのサービスから、希望するＵＲＬを選択する。サービス提供者に接続要求が送信される。
【００６４】
（５）サービス広告提供者コンピュータ３０は、ユーザ端末１０に対して、ユーザＩＤとパスワードの入力を要求する。その際、該要求とともに参照表示データも送信される。
【００６５】
（６）ユーザは、ユーザ端末１０からユーザＩＤ、パスワードを入力する。ユーザＩＤ及びパスワードがサービス広告提供者コンピュータ３０に送信される。
【００６６】
（７）サービス広告提供者コンピュータ３０は、管理サーバ２０に対して、ユーザの個人情報の取得を要求する。該要求には、ユーザＩＤ、パスワード、必要に応じてサービス提供者ＩＤ（サービス広告提供者コンピュータ３０の識別情報）が含まれる。該要求を受け取った管理サーバ２０は、ユーザについて、ユーザＩＤ、パスワードを基に、認証部２４で、認証を行う。そして、ユーザの認証が正しく行われた場合、管理サーバ２０は、個人情報データベース２１から、ユーザＩＤに対応するユーザの個人情報を読み出す。
【００６７】
（８）管理サーバ２０は、個人情報データベース２１から読み出されたユーザの個人情報を、登録フォーマット記憶部２３のフォーマット情報とともに、サービス広告提供者コンピュータ３０に送信する。サービス広告提供者コンピュータ３０は、個人情報格納部３２に個人情報を格納する。
【００６８】
（９）サービス広告提供者コンピュータ３０は、個人情報と登録フォーマットからなる表示データを、ユーザ端末１０に送信する。ユーザ端末１０は個人情報を表示する。
【００６９】
（１０）ユーザ端末１０の表示装置には、ユーザ登録フォーマットに個人情報が書き込まれた状態で表示される。ユーザが確認の結果、ユーザ端末１０の入力装置からＯＫを入力すると（すなわち、送信ボタン等をクリックすると）、サービス広告提供者コンピュータ３０に送信される。サービス広告提供者コンピュータ３０では、サービス広告提供者コンピュータ３０で必要とする情報との照合を行う。
【００７０】
（１１）サービス広告提供者コンピュータ３０では、追加情報が必要な場合、追加情報を要求する。ユーザは、ユーザ端末１０に表示されるフォーマットにしたがって、追加情報（例えば趣味、嗜好）を記入する。すなわち、図２に示すように、記入必須項目は、個人情報データベース２１に登録しておき、ユーザが選択する項目は、追加情報としてもよい。
【００７１】
（１２）ユーザ端末１０から入力された追加個人情報は、サービス広告提供者コンピュータ３０に送信され、個人情報格納部３２に格納される。
【００７２】
（１３）サービス広告提供者コンピュータ３０は、ユーザの個人情報に基づきサービス情報を提供する。すなわち、ユーザ端末１０には、サービス広告提供者コンピュータ３０からのサービス情報が送信される。サービス情報は、動画、音楽配信等であってもよい。
【００７３】
（１４）サービス終了後、ユーザ端末１０は通信接続を切断する。
【００７４】
図６は、図５のシーケンス（５）にしたがって、ユーザ端末１０が、サービス広告提供者コンピュータ３０にアクセスした場合の処理手順を説明するための流れ図である。図１、図５、図６等を参照して、本実施例の処理手順の一例を説明する。
【００７５】
図６を参照すると、ユーザ端末１０が、サービス広告提供者コンピュータ３０に通信接続する（ステップＳ１）。ユーザＩＤ（したがってユーザの個人情報）が管理サーバ２０の個人情報データベース２１に登録されていない場合、ユーザ端末１０の表示装置に表示されるユーザ登録画面より、ユーザはマニュアル入力で個人情報を入力する（ステップＳ５）。
【００７６】
ユーザの個人情報が管理サーバ２０の個人情報データベース２１に登録されているユーザであっても、今回の、サービス広告提供者コンピュータ３０への登録にあたり、管理サーバ２０の利用を望まない場合（ステップＳ３のＮＯ）、ユーザはユーザ端末１０のユーザ登録画面より、マニュアル入力で個人情報を入力する（ステップＳ５）。ステップＳ５でユーザ端末１０より入力された個人情報は、サービス広告提供者コンピュータ３０の個人情報格納部３２に登録される。
【００７７】
一方、ユーザの個人情報が管理サーバ２０の個人情報データベース２１に既に登録されており、サービス広告提供者コンピュータ３０への登録にあたり、管理サーバ２０の利用を選択したユーザは、ユーザ端末１０の画面から、ユーザＩＤとパスワードを入力する（ステップＳ４）。図７は、サービス広告提供者コンピュータ３０のユーザ登録画面の一例を示す図である。
【００７８】
ユーザ端末１０から入力されたユーザＩＤとパスワードがサービス広告提供者コンピュータ３０に送信され（図５のシーケンス（６））、サービス広告提供者コンピュータ３０の照合部３１は、ユーザ端末１０から入力されたユーザＩＤとパスワードとを受け取り、管理サーバ２０に、ユーザの個人情報の取得要求をユーザＩＤとパスワードとともに送信し、管理サーバ２０の認証部２４で認証を行い（図６のステップＳ６、図５のシーケンス（７））、認証の結果が不可の場合、エラーメッセージをサービス広告提供者コンピュータ３０に送信し、サービス広告提供者コンピュータ３０の照合部３１は、エラーメッセージを、ユーザ端末１０に通知する。この場合、ユーザは、ユーザ端末１０から、管理サーバ２０を用いず、例えば、マニュアル入力で個人情報を入力するようにしてもよい。
【００７９】
認証の結果が可（ＯＫ）の場合、管理サーバ２０は、登録フォーマット２３と、ユーザの個人情報をサービス広告提供者コンピュータ３０に送信し、サービス広告提供者コンピュータ３０は、ユーザの個人情報を個人情報格納部３２に格納する。サービス広告提供者コンピュータ３０は、管理サーバ２０から送信された登録フォーマットと個人情報からなる画面表示データ（ユーザ端末１０のブラウザに対応したマークアップ言語データ）をユーザ端末１０に送信し、ユーザ端末１０で、登録画面の登録フォームに対応する個人情報（管理サーバ２０から送信される）が書き込まれた状態で、ユーザ端末１０に表示されるように制御する（図６のステップＳ７、図５のシーケンス（９）参照）。例えば、図７の名前・性別欄以下の所定の欄に個人情報が書き込まれた状態で、ユーザ端末１０の表示画面に表示される。
【００８０】
ユーザは、ユーザ端末１０の画面を見て情報を確認した場合（図６のステップＳ９の確認）、確認操作（送信ボタンのクリック）を行い、確認情報がサービス広告提供者コンピュータ３０に送信される（図６のステップＳ１１、図５のシーケンス（１０）参照）。サービス広告提供者コンピュータ３０では、次に登録ページを表示する等の処理を行う。
【００８１】
ユーザは、ユーザ端末１０の画面を見て、修正が必要であると判断した場合、修正箇所をカーソル等で位置選択し、内容を修正する（図６のステップＳ１０）。情報を確認した場合（ステップＳ９の確認）、確認操作（送信ボタンのクリック）を行い、確認情報が修正内容とともにサービス広告提供者コンピュータ３０に送信される（ステップＳ１１）。サービス広告提供者コンピュータ３０では、ユーザの個人情報の修正内容を、個人情報格納部３２に記憶する。なお、図７のキャンセルボタンがクリックされた場合、ユーザ登録処理がキャンセルされる。
【００８２】
ユーザ端末１０の登録画面で、管理サーバ２０の個人情報データベース２１に個人情報を未登録のユーザに対して、管理サーバ２０への通信接続を、画面上で案内するようにしてもよい（図７の「管理サーバのＵＲＬ」参照）。未登録のユーザは、ユーザ端末１０の表示画面上（図７参照）で「管理サーバのＵＲＬ」を選択することで、ユーザ端末１０から、管理サーバ２０のページ（初期登録画面）にアクセスする。
【００８３】
ユーザ端末１０の表示装置には、例えば図８に示すようなフォームの初期登録画面が表示される。管理サーバ２０の登録フォーマット記憶部２３には、図８に示した登録フォーマット情報が予め記憶されている。図８に示す画面情報の例では、氏名、性別、生年月日、郵便番号、住所、電話番号、パスワードとパスワード確認、メールアドレスの入力欄が用意されており、このうち、氏名、生年月日、パスワード、パスワード確認が必須入力情報（＊で示す）とされており、他の欄の情報はオプションとされている。パスワード確認は、パスワード入力欄へ入力したキャラクタが表示装置にエコーバックされないため、パスワード入力欄へ入力したパスワードとパスワード確認欄に入力したパスワードとが一致するか、管理サーバ２０側で確認するためのものである。パスワード入力欄へ入力したパスワードとパスワード確認欄に入力したパスワードとが不一致の場合、管理サーバ２０は、端末１０にその旨を通知する。管理サーバ２０による初期登録では、郵便番号、住所、電話番号、メールアドレス等は入力してもしなくてもよい。なお、図８に示した例はあくまで一具体例を示したものであり、本発明はかかる構成に限定されるものでないことは勿論である。管理サーバ２０は、ユーザの所定の個人情報を受け取り、ユーザに対して一意的にユーザを識別するためのユーザＩＤを割り振り、ユーザＩＤに対応させて、ユーザの所定の個人情報を、個人情報データベース２１に登録する処理を行う。ユーザ端末１０において、管理サーバ２０への初期登録画面から戻ると、ユーザ端末１０には、サービス広告提供者コンピュータ３０の登録画面（図７参照）が表示される。この場合、ユーザはすでに登録済みであるため、ユーザＩＤ、パスワードを入力する。これ以降、他の情報提供サーバへのユーザ登録も、管理サーバ２０を利用することで、ユーザＩＤ、パスワードを入力するだけでよい。
【００８４】
本実施例によれば、ユーザの識別・認証用の情報として、端末の装置情報を用いていず、装置依存性から解放されており、ユーザ端末１０として、管理サーバ２０の個人情報データベース２１に、ユーザの個人情報を登録する端末と、サービス広告提供者コンピュータ３０等のコンテンツ・サーバ（情報提供サーバ）へのユーザ登録を行う端末と、サービス広告提供者コンピュータ３０から情報提供サービスを受ける端末とが、同一の端末であることが必要とされず、少なくとも１つが他と異なる機種であること、及び／又は、他と異なる通信事業者の加入端末である場合にも、対応自在とされている。また、サービス広告提供者コンピュータ３０等のコンテンツ・サーバとユーザ端末１０間に設けられる公知のゲートウェイサーバ（図示されない）により、データ変換・プロトコル変換を行うことで、サービス広告提供者コンピュータ３０へ一度登録すれば、異なった通信事業者（キャリア）の加入端末からサービスを受けることができるようにしてもよい。この場合、ユーザは、例えば、課金等の点で特典を受けているキャリアの加入端末を選択し、サービス広告提供者コンピュータ３０からのサービスを享受することもできる。このように、例えば異機種の複数の端末を保持するユーザに対して、最適なサービスを提供することができる。
【００８５】
なお、図１等において、管理サーバ２０と、個人情報データベース２１、提供者情報データベース２２、登録フォーマット記憶部２３、認証部２４は、管理サーバ側の装置構成を模式的に示したものであり、これらを１つのデータ処理装置で構成してもよいし、あるいは、複数のデータ処理装置で構成しＬＡＮ（ローカルエリアネットワーク）等で接続するようにしてもよい。
【００８６】
また、サービス広告提供者コンピュータ３０の情報を保持する提供者情報データベース２２に情報データを蓄積するかわりに、サービス広告提供者コンピュータ３０に関する提供者情報の位置情報（ＵＲＬ）をリンクする構成（リンク先にサービス広告提供者コンピュータ３０に関する情報が格納されている）としてもよい。
【００８７】
さらに上記実施例では、端末として移動体端末を例に説明したが、パーソナルコンピュータ等の通信端末にも同様にして適用することができる、以上、本発明を上記実施例に即して説明したが、本発明は、上記実施例にのみ限定されるものでなく、本発明の範囲内で当業者であればなし得るであろう各種変形、修正を含むことは勿論である。
【００８８】
【発明の効果】
以上説明したように、本発明によれば、ユーザは、情報提供サーバへのユーザ登録にあたり、入力欄にすでに書き込まれた状態で表示される個人情報を見て確認するだけでよく、似たような内容のユーザ登録を複数回入力することが不要とされ、入力作業の負担を軽減するという効果を奏する。かかる本発明によれば、コンテンツ業者側でも、登録者の増大が期待できる、という効果を奏する。
【図面の簡単な説明】
【図１】本発明の一実施例のシステム構成を示す図である。
【図２】本発明の一実施例における登録情報の一例を示す図である。
【図３】本発明の一実施例の動作を模式的に示す図である。
【図４】本発明の一実施例のシーケンス動作を説明する図である。
【図５】本発明の一実施例のシーケンス動作を説明する図である。
【図６】本発明の一実施例の処理手順の一例を示す流れ図である。
【図７】本発明の一実施例における情報提供サーバのユーザ登録画面の一例を示す図である。
【図８】本発明の一実施例における管理サーバの初期登録画面の一例を示す図である。
【符号の説明】
１０  端末
２０  管理サーバ
２１  個人情報データベース
２２  提供者情報データベース
２３  登録フォーマット（記憶部）
２４  認証部
３０  サービス広告提供者コンピュータ
３１  照合部
３２  個人情報格納部
４０  通信ネットワーク
【図１】
2004326442.tif 000003
【図２】
2004326442.tif 000004
【図３】
2004326442.tif 000005
【図４】
2004326442.tif 000006
【図５】
2004326442.tif 000007
【図６】
2004326442.tif 000008
【図７】
2004326442.tif 000009
【図８】
2004326442.tif 000010